(57)【要約】【課題】移動による医用画像撮影において、撮影作業の効率化を図ることである。【解決手段】制御装置２０、医用画像読取装置３０及び情報管理装置６０がネットワークＮを介して接続される。情報管理装置６０からネットワークＮを介して制御装置２０に送信された撮影オーダ情報や制御装置２０で設定入力された撮影オーダ情報は、通信端末１０−１を介して携帯端末１０に送信される。携帯端末１０において、撮影オーダ情報が受信されて技師に入力される任意の抽出条件に基づいて抽出され、その抽出された撮影オーダ情報に対応する撮影のカセッテサイズ及びカセッテ枚数が演算され、撮影オーダ情報がカセッテサイズ及びカセッテ枚数とともに表示される。【選択図】図１
2004313757.tif 000002
【特許請求の範囲】
【請求項１】
医用画像撮影に関する撮影オーダ情報と医用画像とを対応付けて管理する制御装置と、前記制御装置から撮影オーダ情報を取得する携帯端末とを備える医用画像撮影システムにおいて、
前記制御装置は、前記携帯端末と通信を行う第１の通信手段と、撮影オーダ情報を前記携帯端末に前記第１の通信手段を介して送信する第１の制御手段とを備え、
前記携帯端末は、前記制御装置と通信を行う第２の通信手段と、表示情報を表示する表示手段と、前記第２の通信手段を介して前記制御装置から撮影オーダ情報を受信し、その受信した撮影オーダ情報から所定の抽出条件に対応する撮影オーダ情報を抽出し、前記抽出された撮影オーダ情報を前記表示手段に表示する第２の制御手段とを備えることを特徴とする医用画像撮影システム。
【請求項２】
前記第２の制御手段は、前記抽出される撮影オーダ情報から、撮影に要するカセッテサイズとカセッテ枚数とのいずれか一方又は両方を含む付加情報を演算し、前記付加情報と前記撮影オーダ情報とを前記表示手段に表示することを特徴とする請求項１に記載の医用画像撮影システム。
【請求項３】
医用画像撮影に関する撮影オーダ情報と医用画像とを対応付けて管理する制御装置と、
前記制御装置から撮影オーダ情報を取得する携帯端末とを備える医用画像撮影システムにおいて、
前記携帯端末に送信される撮影オーダ情報から所定のデータを抽出する抽出手段と、
前記抽出の抽出結果を表示する表示手段とを有することを特徴とする医用画像撮影システム。
【請求項４】
前記抽出されるデータは、撮影に要するカセッテサイズとカセッテ枚数とのいずれか一方又は両方を含むことを特徴とする請求項３に記載の医用画像撮影システム。
【請求項５】
前記携帯端末は、前記抽出手段及び前記表示手段を備えることを特徴とする請求項３又は４に記載の医用画像撮影システム。
【請求項６】
前記制御装置は、前記抽出手段及び前記表示手段を備えることを特徴とする請求項３又は４に記載の医用画像撮影システム。
【請求項７】
前記携帯端末は、携帯側表示手段を備え、前記抽出手段の抽出結果を前記携帯側表示手段に表示することを特徴とする請求項３、４又は６に記載の医用画像撮影システム。
【請求項８】
医用画像撮影に関する撮影オーダ情報と医用画像とを対応付けて管理する制御装置と、前記制御装置から撮影オーダ情報を取得する携帯端末とを備える医用画像撮影システムにおける医用画像管理方法において、
前記制御装置において、撮影オーダ情報を前記携帯端末に送信する工程と、
前記携帯端末において、前記制御装置から撮影オーダ情報を受信し、その受信した撮影オーダ情報から所定の抽出条件に対応する撮影オーダ情報を抽出し、前記抽出された撮影オーダ情報を表示する工程とを含むことを特徴とする医用画像管理方法。
【請求項９】
前記携帯端末において、前記抽出される撮影オーダ情報から、撮影に要するカセッテサイズとカセッテ枚数とのいずれか一方又は両方を含む付加情報を演算し、前記付加情報と前記撮影オーダ情報とを表示することを特徴とする請求項８に記載の医用画像管理方法。
【請求項１０】
医用画像撮影に関する撮影オーダ情報と医用画像とを対応付けて管理する制御装置と、前記制御装置から撮影オーダ情報を取得する携帯端末とを備える医用画像撮影システムにおける医用画像管理方法において、
前記制御装置において、前記撮影オーダ情報から所定の抽出条件に対応する撮影オーダ情報を抽出し、前記抽出された撮影オーダ情報を表示する工程を含むことを特徴とする医用画像管理方法。
【請求項１１】
前記制御装置において、前記抽出された撮影オーダ情報を前記携帯端末に送信する工程と、
前記携帯端末において、前記制御装置から前記抽出された撮影オーダ情報を受信して表示する工程と、を含むことを特徴とする請求項１０に記載の医用画像管理方法。
【請求項１２】
前記制御装置において、前記抽出された撮影オーダ情報から、撮影に要するカセッテサイズとカセッテ枚数とのいずれか一方又は両方を含む付加情報を演算し、前記付加情報と前記抽出された撮影オーダ情報とを表示することを特徴とする請求項１０又は１１に記載の医用画像管理方法。
【発明の詳細な説明】
【技術分野】
【０００１】
本発明は、医用画像撮影システム及び医用画像管理方法に関するものである。
【背景技術】
【０００２】
医療の分野においては、例えば、コンピュータ断層画像撮影装置（以下、「ＣＴ（Computed Tomography）」と記す）やコンピュータ放射線画像撮影装置（以下、「ＣＲ（Computed Radiography）」と記す）、核磁気共鳴イメージング装置（以下、「ＭＲＩ（Magnetic Resonance Imaging）」と記す）などを備える医用画像撮影システムが利用されている。この医用画像撮影システムは、被験体である患者を撮影し、その撮影した医用画像をデジタル画像データとして取得するシステムである。
【０００３】
なかでも、放射線画像撮影装置は、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線などの輝尽励起光で走査することにより蓄積された放射線エネルギーを蛍光として放射させてその蛍光を光電変換し、医用画像信号を得るものである。このようにして取得された医用画像は画像処理を施された後にフィルム、或いはＣＲＴなどの出力装置に出力されて可視化されたり、サーバなどのファイリング装置に患者の情報とともに保存され、医療活動に利用されている。
【０００４】
このような放射線画像撮影装置を利用した医用画像撮影システムには、大きく分けて二つのシステム構成がとられる。一つは、画像の撮影及び読み取りを行う装置と、輝尽性蛍光体プレートとを撮影室、又は、撮影室近傍に設置し、撮影室にて撮影を行う従来の医用画像撮影システムである。このシステムにおいては、撮影室にて撮影と同時に画像の読み取りを行うことができる。
【０００５】
もう一つは、骨折や脳血管疾患などの患者や集中治療室にて管理中の患者など、撮影室にて撮影が行えない患者の為に、回診用の移動可能な移動型Ｘ線撮影装置（移動型Ｘ線源）と、蛍光体プレートを内蔵した持ち運び可能なカセッテとを利用して、回診先において撮影を行う医用画像撮影システムである（例えば、特許文献１参照）。このシステムにおいては、撮影後にカセッテ専用の読取装置にカセッテを挿入し、撮影した画像の読み取りを行う。
【０００６】
また、医用画像撮影システムの画像データ出力装置で撮影した画像データを、プリンタなどの画像形成装置で出力可能なように、画像データに付加情報を付加する構成も考えられている（例えば、特許文献２参照）。
【特許文献１】特開２０００−１３９８８８号公報
【特許文献２】特開２００２−１３３３９４号公報
【発明の開示】
【発明が解決しようとする課題】
【０００７】
しかし、移動によるＸ線画像撮影において、技師が複数名いる場合や、病棟及び病室が複数ある場合などに、所定の技師がサーバのデータベースから自分の撮影に必要な情報を抽出するのは大きな作業負担となる。この場合、撮影対象の患者に対応するカセッテの準備及びその患者の撮影を含む撮影作業に時間がかかるおそれがあった。
【０００８】
本発明の課題は、移動による医用画像撮影において、撮影作業の効率化を図ることである。
【課題を解決するための手段】
【０００９】
上記の課題を解決するために、請求項１に記載の発明は、医用画像撮影に関する撮影オーダ情報と医用画像とを対応付けて管理する制御装置と、前記制御装置から撮影オーダ情報を取得する携帯端末とを備える医用画像撮影システムにおいて、
前記制御装置は、前記携帯端末と通信を行う第１の通信手段と、撮影オーダ情報を前記携帯端末に前記第１の通信手段を介して送信する第１の制御手段とを備え、
前記携帯端末は、前記制御装置と通信を行う第２の通信手段と、表示情報を表示する表示手段と、前記第２の通信手段を介して前記制御装置から撮影オーダ情報を受信し、その受信した撮影オーダ情報から所定の抽出条件に対応する撮影オーダ情報を抽出し、前記抽出された撮影オーダ情報を前記表示手段に表示する第２の制御手段とを備えることを特徴とする。
【００１０】
請求項２に記載の発明は、請求項１に記載の医用画像撮影システムにおいて、
前記第２の制御手段は、前記抽出される撮影オーダ情報から、撮影に要するカセッテサイズとカセッテ枚数とのいずれか一方又は両方を含む付加情報を演算し、前記付加情報と前記撮影オーダ情報とを前記表示手段に表示することを特徴とする。
【００１１】
請求項３に記載の発明は、医用画像撮影に関する撮影オーダ情報と医用画像とを対応付けて管理する制御装置と、前記制御装置から撮影オーダ情報を取得する携帯端末とを備える医用画像撮影システムにおいて、
前記携帯端末に送信される撮影オーダ情報から所定のデータを抽出する抽出手段と、
前記抽出の抽出結果を表示する表示手段とを有することを特徴とする。
【００１２】
請求項４に記載の発明は、請求項３に記載の医用画像撮影システムにおいて、
前記抽出されるデータは、撮影に要するカセッテサイズとカセッテ枚数とのいずれか一方又は両方を含むことを特徴とする。
【００１３】
請求項５に記載の発明は、請求項３又は４に記載の医用画像撮影システムにおいて、
前記携帯端末は、前記抽出手段及び前記表示手段を備えることを特徴とする。
【００１４】
請求項６に記載の発明は、請求項３又は４に記載の医用画像撮影システムにおいて、
前記制御装置は、前記抽出手段及び前記表示手段を備えることを特徴とする。
【００１５】
請求項７に記載の発明は、請求項３，４又は６に記載の医用画像撮影システムにおいて、
前記携帯端末は、携帯側表示手段を備え、前記抽出手段の抽出結果を前記携帯側表示手段に表示することを特徴とする。
【００１６】
請求項８に記載の発明は、医用画像撮影に関する撮影オーダ情報と医用画像とを対応付けて管理する制御装置と、前記制御装置から撮影オーダ情報を取得する携帯端末とを備える医用画像撮影システムにおける医用画像管理方法において、
前記制御装置において、撮影オーダ情報を前記携帯端末に送信する工程と、
前記携帯端末において、前記制御装置から撮影オーダ情報を受信し、その受信した撮影オーダ情報から所定の抽出条件に対応する撮影オーダ情報を抽出し、前記抽出された撮影オーダ情報を表示する工程とを含むことを特徴とする。
【００１７】
請求項９に記載の発明は、請求項８に記載の医用画像管理方法において、
前記携帯端末において、前記抽出される撮影オーダ情報から、撮影に要するカセッテサイズとカセッテ枚数とのいずれか一方又は両方を含む付加情報を演算し、前記付加情報と前記撮影オーダ情報とを表示することを特徴とする。
【００１８】
請求項１０に記載の発明は、医用画像撮影に関する撮影オーダ情報と医用画像とを対応付けて管理する制御装置と、前記制御装置から撮影オーダ情報を取得する携帯端末とを備える医用画像撮影システムにおける医用画像管理方法において、
前記制御装置において、前記撮影オーダ情報から所定の抽出条件に対応する撮影オーダ情報を抽出し、前記抽出された撮影オーダ情報を表示する工程を含むことを特徴とする。
【００１９】
請求項１１に記載の発明は、請求項１０に記載の医用画像管理方法において、
前記制御装置において、前記抽出された撮影オーダ情報を前記携帯端末に送信する工程と、
前記携帯端末において、前記制御装置から前記抽出された撮影オーダ情報を受信して表示する工程と、を含むことを特徴とする。
【００２０】
請求項１２に記載の発明は、請求項１０又は１１に記載の医用画像管理方法において、
前記制御装置において、前記抽出された撮影オーダ情報から、撮影に要するカセッテサイズとカセッテ枚数とのいずれか一方又は両方を含む付加情報を演算し、前記付加情報と前記抽出された撮影オーダ情報とを表示することを特徴とする。
【発明の効果】
【００２１】
請求項１又は８に記載の発明によれば、携帯端末において、撮影オーダ情報を所定の抽出条件に基づいて抽出し、その抽出された撮影オーダ情報を表示する。このため、患者の撮影者は、抽出条件に合った撮影オーダ情報に基づいて患者を撮影でき、撮影作業の効率化が実現できる。
【００２２】
請求項２又は９に記載の発明によれば、携帯端末において、所定の抽出条件に基づいて抽出される撮影オーダ情報に対応する撮影で必要なカセッテ枚数及びカセッテサイズのいずれか一方又は両方を演算して表示する。このため、患者の撮影者は、抽出条件に合ったカセッテ枚数及びカセッテサイズのいずれか一方又は両方を参照して容易でかつ確実にカセッテを準備でき、撮影作業のさらなる効率化が実現できる。
【００２３】
請求項３に記載の発明によれば、携帯端末に送信される撮影オーダ情報から所定のデータを抽出し、その抽出結果を表示する。このため、患者の撮影者は、抽出結果に基づいて患者を撮影でき、撮影作業の効率化が実現できる。
【００２４】
請求項４に記載の発明によれば、撮影で必要なカセッテ枚数及びカセッテサイズのいずれか一方又は両方を抽出して表示する。このため、患者の撮影者は、カセッテ枚数及びカセッテサイズのいずれか一方又は両方を参照して容易でかつ確実にカセッテを準備でき、撮影作業のさらなる効率化が実現できる。
【００２５】
請求項５に記載の発明によれば、携帯端末において所定のデータを抽出してその抽出結果を表示することができる。
【００２６】
請求項６に記載の発明によれば、制御装置において所定のデータを抽出してその抽出結果を表示することができる。
【００２７】
請求項７に記載の発明によれば、携帯端末において所定のデータの抽出結果を表示することができる。
【００２８】
請求項１０に記載の発明によれば、制御装置において、撮影オーダ情報を所定の抽出条件に基づいて抽出し、その抽出された撮影オーダ情報を表示する。このため、患者の撮影者は、制御装置に表示された、抽出条件に合った撮影オーダ情報を参照でき、撮影作業の効率化が実現できる。
【００２９】
請求項１１に記載の発明によれば、制御装置において、抽出された撮影オーダ情報を表示して携帯端末に送信し、その携帯端末において、受信した撮影オーダ情報を表示する。このため、患者の撮影者は、制御装置に表示された、抽出条件に合った撮影オーダ情報を参照でき、携帯端末に表示された撮影オーダ情報により再確認して患者を撮影でき、さらに撮影作業の効率化が実現できる。
【００３０】
請求項１２に記載の発明によれば、制御装置において、所定の抽出条件に基づいて抽出される撮影オーダ情報に対応する撮影で必要なカセッテ枚数及びカセッテサイズのいずれか一方又は両方を演算して表示する。このため、患者の撮影者は、制御装置に表示された、抽出条件に合ったカセッテ枚数及びカセッテサイズのいずれか一方又は両方を参照して容易でかつ確実にカセッテを準備でき、撮影作業のさらなる効率化が実現できる。
【発明を実施するための最良の形態】
【００３１】
以下、図を参照して本発明に係る第１及び第２の実施の形態を順に詳細に説明する。ただし、発明の範囲は、図示例に限定されない。なお、以下では、本発明に特徴的な実施の形態の一例として、持ち運び可能な携帯端末と、移動可能な撮影装置とを利用した、回診先にて撮影を行う医用画像撮影システムについて説明を行う。
【００３２】
（第１の実施の形態）
図１〜図１５を参照して、第１の実施の形態の構成を説明する。
図１は、本発明に係る医用画像撮影システム１００を示すブロック構成図である。図１に示すように、医用画像撮影システム１００は、携帯端末１０，…、通信手段としての通信端末１０−１，…、制御装置２０，…、医用画像読取装置３０，…、ポータブル撮影装置４０、カセッテ５０、情報管理装置６０などから構成されている。また、制御装置２０、医用画像読取装置３０及び情報管理装置６０は、ネットワークＮを介して接続されている。なお、携帯端末１０、通信端末１０−１、制御装置２０、医用画像読取装置３０は、それぞれ少なくとも１台設置されている構成であり、特定の台数に限られるものではない。
【００３３】
携帯端末１０は、通信端末１０−１に装着可能である。携帯端末１０は、ポータブル撮影装置４０を操作する技師などが携帯する携帯型情報端末装置であり、通信端末１０−１を介して制御装置２０と通信を行う。また、携帯端末１０は、制御装置２０から撮影オーダ情報を取得して表示するが、例えば複数患者の撮影オーダがある場合、撮影オーダ情報の中から所望の患者ＩＤに対応する撮影オーダ情報を検索して表示する。また、携帯端末１０は、撮影開始時に、技師の識別情報（以下「技師ＩＤ」と記す）、カセッテ５０の識別情報（以下、「カセッテＩＤ」と記す）、撮影装置の識別情報（以下、「撮影装置ＩＤ」と記す）を取得し、撮影オーダ情報に対応付けて記憶する。
【００３４】
通信端末１０−１は、ケーブルなどを介して制御装置２０と接続され、通信端末１０−１に装着された携帯端末１０と制御装置２０との間でデータの送受信を制御する。例えば、通信端末１０−１は、制御装置２０から携帯端末１０への撮影オーダ情報の送信を制御したり、携帯端末１０から制御装置２０への技師ＩＤ、カセッテＩＤ及び撮影装置ＩＤの送信を制御する。
【００３５】
制御装置２０は、情報管理装置６０から撮影オーダ情報を受信し、受信した撮影オーダ情報に基づいて医用画像を管理するとともに、携帯端末１０及び医用画像読取装置３０から受信する情報に基づいて医用画像の撮影履歴を管理する装置である。例えば、制御装置２０は、情報管理装置６０から受信した撮影オーダ情報を通信端末１０−１を介して携帯端末１０に送信する。また、制御装置２０は、撮影終了後、携帯端末１０から撮影オーダ情報に対応付けられた技師ＩＤ、カセッテＩＤ及び撮影装置ＩＤを受信する。また、制御装置２０は、医用画像読取装置３０から、医用画像と、医用画像に対応付けられたカセッテＩＤ及び読取装置の識別情報（以下、「読取装置ＩＤ」と記す）を受信する。そして、制御装置２０は、撮影オーダ情報に基づいて、医用画像、技師ＩＤ、カセッテＩＤ、撮影装置ＩＤ、読取装置ＩＤなどを対応付けて管理する。
【００３６】
医用画像読取装置３０は、カセッテ５０に記録された医用画像を読み取る医用画像読取装置である。医用画像読取装置３０は、カセッテ５０の輝尽性蛍光体シートに励起光を照射し、これによりシートから発光される輝尽光を光電変換し、得られた画像信号をＡ／Ｄ変換して、医用画像を取得する。また、医用画像読取装置３０は、カセッテ５０に付帯するカセッテＩＤを読み取り、医用画像と、カセッテＩＤ及び自装置の読取装置ＩＤとを対応付けて制御装置２０に送信する。
【００３７】
ポータブル撮影装置４０は、移動可能な医用画像撮影用放射線源であり、回診先において患者にＸ線を照射し、カセッテ５０に医用画像を記録する。カセッテ５０は、放射線エネルギーの一部を蓄積する輝尽性蛍光体シートを内蔵しており、放射線源としてのポータブル撮影装置４０から照射され、照射線源とカセッテとの間に配置される被験体を通過した照射エネルギーの一部を上記輝尽性蛍光体シートに蓄積する。なお、カセッテ５０の表面には、カセッテ５０の識別情報となるカセッテＩＤを記録するバーコードなどが付されている。
【００３８】
情報管理装置６０は、医師から指示された撮影オーダ情報を一括して管理する端末であり、制御装置２０からの要求指示に応じて、撮影オーダ情報を抽出し、制御装置２０に抽出した撮影オーダ情報を送信する。なお、他の情報管理装置として、撮影オーダ情報の予約受付を行う受付装置（図示せず）を適用しても良く、ＨＩＳ（Hospital Information System）やＲＩＳ（Radiology Information System）などの情報管理システムを適用することとしてもよい。
【００３９】
ネットワークＮは、ＬＡＮ（Local Area Network）やＷＡＮ（Wide Area Network）、インターネットなどの様々な回線形態を適用可能である。なお、病院などの医療機関内で医療機器に支障のある無線ＬＡＮなどを除く。しかし、許可されるのであれば、無線通信や赤外線通信であってもよいが、撮影オーダ情報を送受信する際には重要な患者情報を含むため、撮影オーダ情報は暗号化することが好ましい。
【００４０】
次に、本発明において主要な構成要素となる各装置について詳細に説明する。
図２は、携帯端末１０の機能的構成を示すブロック図である。図２に示すように、携帯端末１０は、ＣＰＵ（Central Processing Unit）１１、操作部１２、表示手段又は携帯側表示手段としての表示部１３、通信手段としてのＩ／Ｆ（インタフェース）１４、ＲＡＭ（Random Access Memory）１５、記憶手段としての記憶装置１６、バーコードリーダ１７などから構成され、各部はバス１８により接続されている。
【００４１】
ＣＰＵ１１は、記憶装置１６に格納されているシステムプログラム及び各種アプリケーションプログラムの中から指定されたプログラムをＲＡＭ１５に展開し、ＲＡＭ１５に展開されたプログラムとの協働で、制御手段として携帯端末１０の各部を集中制御する。
【００４２】
具体的に、ＣＰＵ１１及びＲＡＭ１５は、記憶装置１６から撮影前処理プログラム、撮影開始処理プログラムを読み出して、後述する撮影前処理（図６（ｂ）参照）、撮影開始処理（図１０参照）を実行する。なお、各処理の詳細については後述する。
【００４３】
操作部１２は、カーソルキー、数字キー及び各種機能キーなどを備えて構成され、撮影者により押下されたキーに対応する押下信号をＣＰＵ１１に出力する。また、操作部１２は、ジョグダイアルキーを備え、ジョグダイアルキーの操作に応じて表示部１３に表示された情報をスクロール（移動）させるための指示信号をＣＰＵ１１に出力する。また、ジョグダイアルキーが押下されると、表示されている情報に対する押下信号をＣＰＵ１１に出力する。なお、操作部１２は、必要に応じてタッチパネルなどのポインティングデバイスや、その他の入力装置を備えるものとしてもよい。また、ジョグダイアルキーに代えてタッチキーなどとする構成や、これらの組合せでもよい。
【００４４】
表示部１３は、ＬＣＤ（Liquid Crystal Display）、ＥＬディスプレイ（ElectroLuminescent Display）などによる表示ディスプレイを備えた表示手段であり、ＣＰＵ１１からの表示指示に基づいて撮影オーダ情報や、取得した患者ＩＤ，技師ＩＤ，カセッテＩＤ，撮影装置ＩＤなどの各種情報を表示する。
【００４５】
Ｉ／Ｆ１４は、携帯端末１０と通信端末１０−１とを接続するためのインターフェースであり、携帯端末１０が通信端末１０−１に装着されると、検出信号をＣＰＵ１１に出力する。また、Ｉ／Ｆ１４は、通信端末１０−１を介して、携帯端末１０と制御装置２０との間で、データの転送速度の調整や、データ形式の変換を行い、両者間のデータのやりとりを仲介する。
【００４６】
例えば、Ｉ／Ｆ１４は、制御装置２０から撮影オーダ情報を受信するとともに、撮影終了後、撮影オーダ情報に対応づけられた技師ＩＤ、カセッテＩＤ、撮影装置ＩＤを、制御装置２０に送信する。
【００４７】
ＲＡＭ１５は、前述の指定されたアプリケーションプログラム、入力指示、入力データ及び処理結果などを格納するワークメモリエリアを有する。
【００４８】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータなどを記憶する。また、この記憶媒体は磁気的、光学的記憶媒体又は半導体メモリで構成され、記憶装置１６に固定的に設けられるもの又は着脱自在に装着するものである。
【００４９】
また、記憶装置１６は、制御装置２０から受信した撮影オーダ情報を格納するための撮影オーダ情報ファイル１６１を記憶している。図３を参照して撮影オーダ情報ファイル１６１について説明する。図３は、撮影オーダ情報ファイル１６１のデータ構成例を示す図である。
【００５０】
図３に示すように、撮影オーダ情報ファイル１６１は、撮影ＩＤ、患者ＩＤ、氏名、性別、年齢、病室、依頼科、撮影部位、撮影枚数及び撮影サイズを格納する項目と、撮影開始時に取得される技師ＩＤ、カセッテＩＤ、撮影装置ＩＤを格納するための項目を有し、撮影オーダ情報毎に各項目に対応するデータを格納する。
【００５１】
撮影ＩＤの項目には、撮影を特定するために一義的に割り当てられた識別コード（例えば、20020101001、20020101002、20020101003、…）が格納される。患者ＩＤの項目には、撮影を受ける患者を特定するために一義的に割り当てられた識別コード（例えば、10000002、1000005、…）が格納される。氏名の項目には、撮影対象となる患者の名前を示す文字情報が格納され、性別の項目には、撮影対象となる患者の性別を示す文字情報が格納される。年齢の項目には、撮影対象となる患者の年齢が数字情報により格納され、病室の項目には、撮影場所となる病室を示す文字情報が格納される。
【００５２】
依頼科の項目には、撮影を依頼した依頼科を示す文字情報が格納され、撮影部位の項目には、撮影部位を示す情報（例えば、頭蓋骨Ａ→Ｐ、頭蓋骨Ｐ→Ａ、胸部Ｐ→Ａ、…）が格納され、撮影枚数の項目には、撮影する医用画像の枚数が数字情報（例えば、３，４，５，…）により格納される。撮影サイズの項目には、撮影する医用画像のサイズ（例えば、半切、大四切など）が格納される。
【００５３】
技師ＩＤの項目には、撮影を行った技師を特定するために一義的に割り当てられた識別コード（例えば、技師の所持するＩＤカードなどに付されたバーコードから読み取られる情報）が格納される。カセッテＩＤの項目には、撮影を行ったカセッテ５０を特定するために一義的に割り当てられた識別コード（例えば、カセッテ５０に付されたバーコードなどから読み取られる情報）が格納される。撮影装置ＩＤの項目には、撮影を行ったポータブル撮影装置４０を特定するために一義的に割り当てられた識別コード（例えば、ポータブル撮影装置４０に付されたバーコードなどから読み取られる情報）が格納される。
【００５４】
なお、上述した技師ＩＤ、カセッテＩＤ、撮影装置ＩＤのデータは撮影前においては撮影オーダ情報ファイル１６１には格納されておらず、撮影開始時にバーコードリーダ１７により読み取られた各データが格納される構成となっている。
【００５５】
また、撮影オーダ情報には、患者情報として患者ＩＤ、氏名、性別、年齢の他、例えば、担当医師名、感染症などを警告する警告情報、薬物アレルギーの有無、妊娠の有無、追加病歴、車椅子や担架などの特別な介護の必要性、臨床診断名、守秘事項などの各種患者情報が格納される構成であっても良い。また、撮影オーダ情報には、撮影情報として撮影部位、撮影装置、撮影枚数及び撮影サイズの他、例えば、撮影方法（単純撮影、造影撮影など）、撮影予定日などの各種撮影情報が格納される構成、場合によってはパスワード入力により表示可能とする構成であっても良い。
【００５６】
バーコードリーダ１７は、技師ＩＤ、カセッテＩＤ、撮影装置ＩＤなどを取得するための取得手段の一例であり、光学的な読み取り装置であるスキャナを備えている。バーコードリーダ１７は、スキャナにてバーコードを読み取り、所定の規格に従ってデコードすることにより、バーコードが示す情報を取得する。例えば、バーコードリーダ１７は、撮影を行う際に技師のＩＤカードなどに付帯するバーコードを読み取り技師ＩＤを取得し、医用画像を記録するカセッテ５０に付帯されたバーコードを読み取りカセッテＩＤを取得する。
【００５７】
また、バーコードリーダ１７は、患者のベッドサイド又は患者の身体の一部に付帯されたバーコードを読み取り、患者ＩＤを取得し、撮影装置に付帯するバーコードを読み取り、撮影装置ＩＤを取得する。なお、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コードなどである。
【００５８】
図４は、制御装置２０の機能的構成を示すブロック図である。図４に示すように、制御装置２０は、ＣＰＵ２１、入力部２２、表示手段としての表示部２３、通信制御部２４、ＲＡＭ２５、記憶装置２６、通信手段としてのＩ／Ｆ２７などを備えて構成され、各部はバス２８により接続されている。
【００５９】
ＣＰＵ２１は、記憶装置２６に記憶されているシステムプログラムや各種制御プログラムを読み出し、ＲＡＭ２５に展開し、ＲＡＭ２５に展開された制御プログラムとの協働で、制御手段として各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００６０】
具体的に、ＣＰＵ２１及びＲＡＭ２５は、記憶装置２６から撮影準備処理プログラム、撮影後処理プログラムを読み出して、後述する撮影準備処理（図６（ａ）参照）、撮影後処理（図１４参照）を実行する。
【００６１】
入力部２２は、カーソルキー、数字入力キー、及び各種機能キーなどを備えたキーボードを含み、このキーボードで押下されたキーに対応する押下信号をＣＰＵ２１に出力する。なお、入力部２２は、必要に応じてマウス、タッチパネルなどのポインティングデバイスや、その他の入力装置を備えることとしてもよい。
【００６２】
表示部２３は、ＬＣＤやＣＲＴ（Cathode Ray Tube）、ＥＬディスプレイなどにより構成され、ＣＰＵ２１から入力される表示信号の指示に従って、入力部２２からの入力指示やデータなどを表示する。
【００６３】
通信制御部２４は、ＬＡＮカードやルータやＴＡ（Terminal Adapter）などによって構成され、専用線、或いはＩＳＤＮ回線などの通信回線を介してネットワークＮに接続された各装置との間の通信を制御する。
【００６４】
ＲＡＭ２５は、ＣＰＵ２１により実行制御される各種処理において、記憶装置２６から読み出されたＣＰＵ２１で実行可能なシステムプログラム、制御プログラム、入力若しくは出力データ、及びパラメータなどの一時的に記憶する記憶領域を形成する。
【００６５】
記憶装置２６は、ＨＤＤ（Hard Disc Drive）や不揮発性の半導体メモリなどにより構成され、ＣＰＵ２１で実行されるシステムプログラム、当該システムプログラムに対応する各種処理プログラム、及び処理結果などを記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、ＣＰＵ２１の読取可能なプログラムコードの形態で格納される。
【００６６】
また、制御装置２０の記憶装置２６は、情報管理装置６０から受信した撮影オーダ情報を記憶するための撮影オーダ情報ファイル（図示せず）と、医用画像の撮影履歴を管理するための撮影履歴管理ファイル２６１とを格納している。なお、撮影オーダ情報ファイルは、上述した撮影オーダ情報ファイル１６１（図３参照）と略同一の構成によってなるため、図示及び詳細な説明を省略する。図５を参照して、撮影履歴管理ファイル２６１について説明する。
【００６７】
図５は、撮影履歴管理ファイル２６１のデータ構成例を示す図である。図５に示すように、撮影履歴管理ファイル２６１には、撮影ＩＤ、撮影日時、技師ＩＤ、カセッテＩＤ、撮影装置ＩＤ、読み取り装置ＩＤ、エラーフラグを格納する項目が設けられている。
【００６８】
撮影ＩＤの項目には、上述した撮影オーダ情報ファイル１６１に記憶されている撮影オーダ情報を一義的に特定する識別コード（例えば、20020101001，…）が格納され、撮影ＩＤにより、上述した撮影オーダ情報と対応付けが行われる。撮影日時の項目には、医用画像が撮影された日時を示す情報（例えば、2003/3/3，…）が格納される。
【００６９】
技師ＩＤの項目には、医用画像を撮影した技師を一義的に特定する識別情報（例えば、sato1234，…）が格納され、カセッテＩＤの項目には、医用画像が格納されていたカセッテ５０を一義的に特定する識別情報（例えば、04000108022016，…）が格納される。撮影装置ＩＤの項目には、医用画像を撮影した撮影装置、又はポータブル撮影装置４０を一義的に特定する識別情報（例えば、A101010，…）が格納される。
【００７０】
読取装置ＩＤの項目には、医用画像をカセッテ５０から読み取った医用画像読取装置３０を一義的に特定する識別情報（例えば、E1100101，…）が格納され、エラーフラグの項目には、医用画像におけるエラーの発生の有無を示すチェックフラグが入力される。
【００７１】
なお、上述した撮影ＩＤ、撮影日時、技師ＩＤ、カセッテＩＤ及び撮影装置ＩＤは、後述する撮影後処理において、携帯端末１０から送信される情報であり、読取装置ＩＤは、医用画像読取装置３０から送信される情報である。また、エラーフラグのチェックの有無は、技師や場合によっては読影者により入力される情報である。なお、撮影履歴管理ファイル２６１に記憶される情報は、上述した例に限定されず、その他必要に応じて種々の情報を記憶可能である。
【００７２】
Ｉ／Ｆ２７は、制御装置２０と通信端末１０−１とを接続するためのインターフェースであり、携帯端末１０が通信端末１０−１に装着されたことを検出すると、検出信号をＣＰＵ２１に出力する。また、Ｉ／Ｆ２７は、通信端末１０−１を介して、制御装置２０と携帯端末１０との間で、データの転送速度の調整や、データ形式の変換を行い、両者間のデータのやりとりを仲介する。例えば、Ｉ／Ｆ２７は、撮影開始前の携帯端末１０に撮影オーダ情報を送信するとともに、撮影終了後の携帯端末１０から撮影オーダ情報に対応付けられた技師ＩＤ、カセッテＩＤ、撮影装置ＩＤを受信する。
【００７３】
続いて、医用画像読取装置３０について説明する。なお、医用画像読取装置３０の機能的構成は、上述した制御装置２０と略同様の構成によってなるため、同一部分には対応する名称を付し、図示及び詳細な説明は省略する。すなわち、医用画像読取装置３０は、ＣＰＵ３１、入力部３２、表示部３３、通信制御部３４、ＲＡＭ３５、記憶装置３６、画像読取部３７、バーコードリーダ３８などを備えて構成され、各部はバス３９により接続されている。
【００７４】
画像読取部３７は、カセッテ５０の輝尽性蛍光体層に励起光を照射して、蓄積された放射線エネルギーに相当する蛍光を発光させ、当該発光させた蛍光を光電変換して、放射線画像データを取得する。
【００７５】
バーコードリーダ３８は、カセッテＩＤを取得する取得手段の一例であり、光学的な読み取り装置であるスキャナを備えている。バーコードリーダ３８は、画像読取部３７に装着されたカセッテ５０の表面に付されたバーコードを読み取り、カセッテＩＤを取得する。
【００７６】
ＣＰＵ３１は、画像読取部３７により読み取られた医用画像と、バーコードリーダ３８により読み取られたカセッテＩＤと、医用画像の読み取りを行った医用画像読取装置、すなわち自装置を一義的に特定する読取装置ＩＤとを取得し、通信制御部３４を制御して、医用画像にカセッテＩＤ及び読取装置ＩＤを対応付けて制御装置２０に送信する。ここで、医用画像に対応付けられるカセッテＩＤ及び読取装置ＩＤは、例えば、ＤＩＣＯＭ（Digital Imaging and Communications Medicine）規格に基づいて伝送されることが望ましい。
【００７７】
次に、本実施の形態の動作を説明する。
なお、後述するフローチャートに記述されている各機能を実現するためのプログラムはコンピュータが読み取り可能なプログラムコードの形態で携帯端末１０の記憶装置１６、制御装置２０の記憶装置２６又は医用画像読取装置３０の記憶装置３６に格納されており、携帯端末１０のＣＰＵ１１、制御装置２０のＣＰＵ２１又は医用画像読取装置３０のＣＰＵ３１は、ＲＡＭ１５、ＲＡＭ２５又はＲＡＭ３５に展開された各プログラムとの協働により、当該プログラムコードに従った動作を逐次実行する。
【００７８】
まず、撮影を行う準備処理として、制御装置２０から携帯端末１０に撮影オーダ情報を取得させる第１の撮影準備処理を説明する。第１の撮影準備処理は、技師などによる第１の撮影準備処理実行指示の制御装置２０の入力部２２への入力などをトリガとして、ＣＰＵ２１により記憶装置２６から読み出された第１の撮影準備処理プログラムがＲＡＭ２５に展開されて実行される。
【００７９】
また、予め撮影オーダ情報が情報管理装置６０からネットワークＮを介して制御装置２０に送信されて、記憶装置２６に記憶されているものとする。あるいは、制御装置２０において撮影オーダ情報が設定入力されて記憶装置２６に記憶されているものとする。また、その撮影オーダ情報が表示部２３に表示されているとしてもよい。
【００８０】
図６（ａ）は、制御装置２０のＣＰＵ２１により実行される第１の撮影準備処理を示すフローチャートである。図６（ａ）に示すように、技師により入力部２２を介して撮影オーダ情報の送信指示が入力されると（ステップＳ１）、Ｉ／Ｆ２７の制御により、携帯端末１０が通信端末１０−１に装着されているか否かが判別される（ステップＳ２）。ここで、通信端末１０−１に携帯端末１０が装着されていない場合（ステップＳ２；ＮＯ）、表示部２３にエラー表示がなされ（ステップＳ５）、撮影準備処理が終了される。
【００８１】
一方、通信端末１０−１に携帯端末１０が装着されている場合（ステップＳ２；ＹＥＳ）、記憶装置２６から撮影オーダ情報が取得され、その撮影オーダ情報が通信端末１０−１を介して、携帯端末１０に送信され（ステップＳ３）、送信済み撮影オーダ情報の送信フラグがＯＮに設定され（ステップＳ４）、第１の撮影準備処理が終了される。ステップＳ３において、制御装置２０は、全撮影オーダ情報から、自装置に接続されている１台以上の携帯端末１０に対して、当該携帯端末１０それぞれの撮影オーダ情報を抽出して送信する。
【００８２】
図６（ｂ）は、携帯端末１０で実行される第１の撮影前処理を示すフローチャートである。第１の撮影前処理は、技師などによる携帯端末１０の通信端末１０−１への装着開始をトリガとして、ＣＰＵ１１により記憶装置１６から読み出された第１の撮影前処理プログラムがＲＡＭ１５に展開されて実行される。図６（ｂ）に示すように、携帯端末１０は、撮影オーダ情報を取得するため、通信端末１０−１に装着完了される（ステップＳ１１）。
【００８３】
次いで、Ｉ／Ｆ１４の制御により、制御装置２０から送信される撮影オーダ情報が受信される（ステップＳ１２）。そして、抽出条件入力画面が表示部１３に表示され、携帯端末１０の使用者である技師などにより抽出条件が操作部１２から入力される（ステップＳ１３）。抽出条件は例えば、各患者ＩＤ、各技師ＩＤ、患者撮影順序、各区域（病棟やフロアなど）、又は撮影完了・未完了などである。また、抽出条件は、これらの項目のうちの少なくとも２つの組合せでもよい。
【００８４】
そして、ステップＳ１３において入力された抽出条件に基づいて撮影オーダ情報が抽出される（ステップＳ１４）。そして、ステップＳ１４において抽出された撮影オーダ情報（のうちの撮影サイズ及び撮影枚数）から撮影に必要なカセッテサイズとそのカセッテ枚数とが演算される（ステップＳ１５）。そして、演算されたカセッテサイズとそのカセッテ枚数とを付加情報として含む撮影オーダ情報が記憶装置１６の撮影オーダ情報ファイル１６１に記憶され、その撮影オーダ情報が表示部１３に表示され（ステップＳ１６）、第１の撮影前処理が終了される。
【００８５】
患者を撮影する技師は、携帯端末１０に表示された撮影オーダ情報とカセッテサイズとそのカセッテ枚数とを参照して、無駄な作業をすることなく撮影に必要なカセッテ５０を容易でかつ確実に準備できる。
【００８６】
上述した撮影準備処理において、制御装置２０の表示部２３に表示される表示画面について図７〜図９を参照して説明する。
【００８７】
図７は、所望の処理を選択するためのメニュー画面２３１を示す図である。図７に示すように、メニュー画面２３１には、システムメニューとして、「システムの状態」、「技師選択」、「検査履歴」、「ユーティリティ」、「画面形式」、「運用形態」の各メニューを指示する指示釦が設けられている。また、「画面形式」、「運用形態」の指示釦には、入力項目が設けられ、例えば、「運用形態」の入力項目に「ポータブル」を入力して、当該釦を指示すると、ポータブル撮影装置４０にて撮影を行う場合のポータブルモード画面が表示される。なお、この「運用形態」の入力項目に「通常」を入力すると、通常の撮影室で撮影を行う場合の通常モード画面が表示される。
【００８８】
図８は、ポータブルモードにおいて、撮影オーダ情報が一覧表示されるポータブルリスト画面２３２を示す図である。図８に示すように、ポータブルリスト画面２３２には、撮影オーダ情報を表示する領域と、各種指示を入力する指示釦を表示する領域とが設けられている。撮影オーダ情報を表示する領域には、撮影オーダ情報の一部として、患者ＩＤ、タブ種別、氏名、性別、生年月日、撮影部位、撮影数（撮影枚数）、保留を表示する項目が設けられ、各項目には、それぞれ対応するデータが表示されている。撮影サイズは図示を省略されている。
【００８９】
また、ポータブルリスト画面２３２の右端及び下端において、各種指示を入力する指示釦を表示する領域には、選択キーの他、「送信」、「受信」、「新規／検索」、「修正」、「削除」、…、「確認画面」のテキストデータが表示された指示釦が設けられ、各指示釦が入力部２２を介して操作されることにより、対応する指示が入力される。例えば、ポータブルリスト画面２３２に表示されている撮影オーダ情報が選択キーにより選択され、「送信」指示釦が操作されると、選択された撮影オーダ情報が携帯端末１０に送信される。ここで、撮影オーダ情報が携帯端末１０に送信されると、当該撮影オーダ情報の送信終了フラグがＯＮに設定され、「タブ種別」の項目には、送信済みのチェックフラグ「→」が表示される。また、「新規／検索」指示釦が操作されると、撮影オーダ情報を新規に登録するための入力画面２３３，２３４が表示される。
【００９０】
図９は、上述したポータブルリスト画面２３２において、「新規／検索」指示釦が操作された場合に表示される入力画面２３３，２３４を示す図である。図９（ａ）は、撮影オーダ情報のうち、患者情報を新規に入力するための入力画面２３３を示す図である。図９（ａ）に示すように、入力画面２３２には、患者情報を入力する領域と、文字入力を行うための文字キーを表示する領域とが設けられている。
【００９１】
入力画面２３３の上段に表示される患者情報を入力する領域には、患者ＩＤ、患者氏名（ローマ字、カナ、漢字）、性別、生年月日、コメントを入力する項目が設けられており、入力部２２の操作に応じて入力されたデータが対応する項目に表示される構成となっている。また、入力画面２３３の下段に表示される文字キーを表示する領域においては、当該表示された文字キーに対応するキー入力が入力部２２の備えるマウスやタッチパネルを介して行われる。なお、キー入力は、入力部２２の備えるキーボードを介して行うことも可能である。
【００９２】
図９（ｂ）は、撮影オーダ情報のうち、撮影情報を新規に入力するための入力画面２３４を示す図である。図９（ｂ）に示すように、撮影情報入力画面２３４には、撮影条件として撮影部位を指示する指示釦を表示する領域と、撮影部位における撮影方向を指示する指示釦を表示する領域と、入力された撮影部位及び撮影方向を表示する領域とが設けられている。
【００９３】
入力画面２３４の左側上段に表示される撮影部位の指示釦を表示する領域には、例えば、「頭部」、「頚部」、…、「TEST」のテキストデータが表示された指示釦が設けられ、各指示釦が入力部２２を介して指示されることにより、対応する撮影部位が選択される。また、入力画面２３４の左側中段に表示される撮影方向の指示釦を表示する領域には網掛け表示が行われ、ポータブルモードでは、選択不可能な構成となっている。すなわち、当該領域に表示される撮影部位は、例えば、ポータブル撮影装置４０により、撮影不可能な撮影部位であることを示している。なお、選択不可能な表示方法として、網掛け表示の他に、非表示又は非アクティブ表示とすることも可能である。また、選択不可能な指示釦が指示された場合に、音声や画像により警告を出力する構成であってもよい。
【００９４】
また、入力画面２３４の左側下段に表示される撮影方向の指示釦を表示する領域には、例えば、「胸部  他」の撮影部位における撮影方向として、「斜位」、…、「じん肺」のテキストデータが表示された指示釦が設けられ、各指示釦が入力部２２を介して指示されることにより、対応する撮影方向が選択される。さらに、入力画面２３３の右側に表示される撮影部位及び撮影方向を表示する領域には、上述した指示釦が指示されることにより選択された撮影部位及び撮影方向が、例えば、「胸部  他  斜位」として表示される。
【００９５】
また、図１０及び図１１を参照して、上述の撮影前処理の画面を説明する。図１０は、抽出条件が入力される抽出条件入力画面１３Ａを示す図である。図１０に示すように、抽出条件入力画面１３Ａは抽出条件の一例として依頼科の条件（内科、外科など）を選択するための画面である。抽出条件入力画面１３Ａは、抽出条件の項目と、各項目の詳細項目と、「クリック（選択）」、「キャンセル」及び「ＯＫ」を入力する指示釦とを有する。抽出条件は、図示されている依頼科、病棟の他にも図示されていない項目を選択可能である。抽出条件入力画面１３Ａ上で、抽出条件を選択してＯＫ釦を選択すると抽出条件が入力される。
【００９６】
図１１は、抽出された撮影オーダ情報の抽出結果表示画面１３Ｂを示す図である。抽出結果表示画面１３Ｂは、抽出条件と、その抽出条件に対応する撮影についてカセッテ５０が登録されている件数と、未登録である件数と、合計件数と、「キャンセル」及び「ＯＫ」を入力する指示釦とを有する。ここでは、抽出条件として撮影部位の「胸部−胸部臥位」が入力された場合の撮影オーダ情報の表示を示す。この抽出結果表示画面１３Ｂは、後述する撮影開始処理における、抽出された撮影オーダ情報がカセッテ５０に対応して登録されているか未登録であるかを件数（例えば撮影する患者数）で表示する例とする。撮影前処理しか実行されていない場合には、未登録の件数のみとなる。図示しないが、例えば、未登録の「１０件」を選択すると、その件（撮影）に対応する撮影サイズ及び撮影枚数並びに撮影オーダ情報が表示される。技師は、未登録の撮影オーダ情報に対応して容易かつ確実にカセッテ５０を準備することができる。
【００９７】
次に、撮影の開始前に撮影を行う病室において、携帯端末１０により患者ＩＤと撮影オーダ情報との対応付けを行い、撮影オーダ情報と技師ＩＤ、カセッテＩＤ及び撮影装置ＩＤを対応付けて記録する撮影開始処理について説明する。
【００９８】
図１２は、携帯端末１０により実行される撮影開始処理を示すフローチャートである。撮影開始処理は、技師などによる撮影開始処理実行指示の携帯端末１０の操作部１２への入力などをトリガとして、ＣＰＵ１１により記憶装置１６から読み出された撮影開始処理プログラムがＲＡＭ１５に展開されて実行される。バーコードリーダ１７の制御により、患者のベッドサイド又は患者の身体の一部に付帯されたバーコードが読み取られ、患者ＩＤが取得される（ステップＳ２１）。次いで、読み取った患者ＩＤに対応する撮影オーダ情報が記憶装置１６から取得される（ステップＳ２２）。
【００９９】
続いて、取得した撮影オーダ情報が表示部１３に表示されるとともに（ステップＳ２３）、バーコードリーダ１７の制御により、撮影を行う技師、カセッテ５０、ポータブル撮影装置４０にそれぞれ付帯されたバーコードが読み取られ、技師ＩＤ、カセッテＩＤ、撮影装置ＩＤが取得される（ステップＳ２４）。そして、ステップＳ２４において取得されたカセッテＩＤが登録済であるか否かが判別される（ステップＳ２５）。技師が準備するカセッテが複数である場合に、そのカセッテの二重登録を検出するためである。具体的には、取得されたカセッテＩＤが、記憶装置１６に既に記憶（登録）されているか否かにより判別される。
【０１００】
取得されたカセッテＩＤが登録済である場合（ステップＳ２５；ＹＥＳ）、そのカセッテＩＤが登録済である旨が表示部１３に表示され（ステップＳ２６）、ステップＳ２４に移行される。取得されたカセッテＩＤが登録済でない場合（ステップＳ２５；ＮＯ）、取得されたカセッテＩＤが未登録であるので、取得された技師ＩＤ、カセッテＩＤ、撮影装置ＩＤが、撮影オーダ情報に対応付けて記憶装置１６に記憶され（ステップＳ２７）、撮影開始処理が終了される。
【０１０１】
上述した撮影開始処理において、携帯端末１０の表示部１３に表示される表示画面について図１３を参照して説明する。図１３（ａ）は、携帯端末１０に登録された患者を一覧表示する患者リスト画面１３１を示す図である。図１３（ａ）に示すように、患者リスト画面１３１には、患者情報を示す領域が設けられ、この領域には、患者ＩＤ、患者の氏名、病棟を表示する項目が設けられている。具体的に、患者ＩＤの項目には、「0001」の数字データが表示され、氏名の項目には、「山田  一郎」のテキストデータが表示されている。
【０１０２】
図１３（ｂ）は、携帯端末１０のバーコードリーダ１７により、患者ＩＤが取得された場合に、対応する患者の撮影オーダ情報を表示する表示画面１３２を示す図である。図１３（ｂ）に示すように、表示画面１３２には、患者情報を表示する領域と、撮影情報を表示する領域とが設けられている。患者情報を表示する領域には、患者氏名、患者ＩＤ、性別、年齢、病棟、病室を表示する項目が設けられ、各項目には、対応するデータが表示されている。
【０１０３】
また、撮影情報を表示する領域には、撮影部位、カセッテＩＤ、技師ＩＤ、撮影装置ＩＤ、撮影枚数及び撮影サイズを表示する項目が設けられており、カセッテＩＤ、技師ＩＤ、撮影装置ＩＤの項目には、携帯端末１０のバーコードリーダ１７により取得されたデータが、読み取りと同時に表示される構成となっている。具体的に、撮影部位及び撮影サイズの項目には、「胸部  他  斜位  大四切」のテキストデータが表示され、カセッテＩＤの項目には、「04000108022016」の数字データが表示されている。また、技師ＩＤの項目には、「suzuki777」のテキストデータ及び数字データが表示され、撮影装置ＩＤの項目には、「A101010」のテキストデータ及び数字データが表示されている。
【０１０４】
そして、技師は、携帯端末１０に表示された撮影オーダ情報を参照して、ポータブル撮影装置４０と、撮影開始処理において登録されたカセッテ５０とを用いて、撮影オーダ情報に対応する患者を撮影する。携帯端末１０は、技師により入力部２２を介して撮影済みの撮影オーダ情報が入力され、その撮影済みの撮影オーダ情報に対応付けられた技師ＩＤ、カセッテＩＤ及び撮影装置ＩＤを制御装置２０に送信する。医用画像読取装置３０は、撮影済みのカセッテ５０から医用画像、カセッテＩＤ及び読取装置ＩＤを読み取って制御装置２０に送信する。
【０１０５】
続いて、撮影終了後、制御装置２０において、携帯端末１０から撮影済みの撮影オーダ情報に対応付けられた技師ＩＤ、カセッテＩＤ及び撮影装置ＩＤを取得するとともに、医用画像読取装置３０から読み取られた医用画像、カセッテＩＤ及び読取装置ＩＤを取得する撮影後処理について説明する。
【０１０６】
図１４は、制御装置２０により実行される撮影後処理を示すフローチャートである。図１４に示すように、撮影後処理は、技師などによる撮影後処理実行指示の制御装置２０の入力部２２への入力などをトリガとして、ＣＰＵ２１により記憶装置２６から読み出された撮影後処理プログラムがＲＡＭ２５に展開されて実行される。通信端末１０−１を介して、携帯端末１０から撮影済みの撮影オーダ情報に対応付けられた技師ＩＤ、カセッテＩＤ、撮影装置ＩＤが受信されると（ステップＳ３１；ＹＥＳ）、撮影オーダ情報に対応付けて技師ＩＤ、カセッテＩＤ、撮影装置ＩＤが撮影履歴管理ファイル２６１に記憶される（ステップＳ３２）。そして、技師ＩＤ、カセッテＩＤ、撮影装置ＩＤを受信した撮影オーダ情報について、受信終了フラグがＯＮに設定される（ステップＳ３３）。
【０１０７】
次いで、医用画像読取装置３０から医用画像、カセッテＩＤ、読取装置ＩＤが受信されると（ステップＳ３４；ＹＥＳ）、カセッテＩＤに基づいて、受信した読取装置ＩＤが撮影オーダ情報に対応付けて撮影履歴管理ファイル２６１に記憶される（ステップＳ３５）。また、医用画像に対応付けられたカセッテＩＤと、撮影オーダ情報に対応付けられたカセッテＩＤとに基づいて、医用画像と撮影オーダ情報とが対応付けられて記憶装置２６に記憶される（ステップＳ３６）。
【０１０８】
さらに、医用画像に対応する技師ＩＤ、カセッテＩＤ、撮影装置ＩＤ、読取装置ＩＤが、付帯情報として当該医用画像に付加される（ステップＳ３７）。ここで、医用画像に付加される付帯情報は、ＤＩＣＯＭ規格に従って付加されることが望ましい。そして、受信した医用画像が表示部２３に表示され（ステップＳ３８）、撮影後処理が終了される。
【０１０９】
図１５を参照して、制御装置２０の表示部２３に表示される医用画像について説明をする。図１５は、携帯端末１０を利用して撮影を行った場合に、表示部２３に表示されるポータブル処理画面２３５を示す図である。図１５に示すように、ポータブル処理画面２３５には、同一の携帯端末１０に登録された複数の患者の医用画像が同一画面に表示される構成となっている。
【０１１０】
すなわち、ポータブル処理画面２３５には、技師情報を表示する領域と、患者毎に患者情報、医用画像、撮影情報を表示する領域とが設けられ、同一画面には、４種類の医用画像が表示可能な構成となっている。具体的に、ポータブル処理画面２３５の左上端の技師情報を表示する領域には、技師の氏名として「スズキタロウ」のテキストデータを表示する項目と、技師ＩＤとして「suzuki777」のテキストデータ及び数字データを表示する項目とが設けられている。また、患者毎に表示される医用画像として、左端に表示されている医用画像について説明すると、患者情報を表示する領域には、患者ＩＤとして「0001」の数字データを表示する項目と、氏名として「山田  一郎（ヤマダ  イチロウ）」のテキストデータを表示する項目とが設けられている。
【０１１１】
その下部には、医用画像を表示する領域が設けられ、医用画像と、読取装置ＩＤとして「F1210012」の数字データを表示する項目と、解像度として「通常」のテキストデータを表示する項目とが設けられている。さらに、その下部には、撮影情報を表示する領域が設けられ、撮影部位及び撮影サイズとして「胸部  他  斜位  大四切」のテキストデータを表示する項目と、カセッテＩＤとして「01000108022016」の数字データを表示する項目と、撮影装置ＩＤとして「A101010」のテキストデータ及び数字データを表示する項目とが設けられている。
【０１１２】
また、撮影情報を表示する領域の下部には、「ＮＧ」又は「ＯＫ」を入力する指示釦が設けられ、表示された医用画像の異常の有無を入力する。すなわち、医用画像に異常が発生していた場合に、入力部２２を介して「ＮＧ」指示釦が指示されると、対応する医用画像の撮影履歴管理ファイル２６１のエラーフラグがＯＮに設定される。
【０１１３】
なお、制御制御２０は、異常の有無が記憶された撮影履歴管理ファイル２６１に基づいて、エラーフラグがＯＮに設定されている医用画像について、技師ＩＤ、カセッテＩＤ、撮影装置ＩＤ、読取装置ＩＤなどの識別情報を一覧表示させることができる。この際、例えば、各識別情報毎に異常が発生した医用画像をソートして表示させることが可能である。これにより、異常が頻繁に生じる技師、カセッテ、撮影装置、読取装置を統計的に抽出して、異常の原因を的確に特定し、速やかに原因の解消を図ることができる。
【０１１４】
以上のように、本実施の形態の医用画像撮影システム１００によれば、撮影準備として、撮影オーダ情報を制御装置２０から携帯端末１０に送信し、携帯端末１０において、撮影オーダ情報を受信し、入力される抽出条件に基づいて撮影オーダ情報を抽出し、そのカセッテサイズ及びカセッテ枚数を演算して、そのカセッテサイズ及びカセッテ枚数と撮影オーダ情報とを表示する。
【０１１５】
また、撮影開始時に撮影を行う患者の患者ＩＤ、撮影を行う技師の技師ＩＤ、医用画像を記録するカセッテＩＤ、医用画像を記録する撮影装置ＩＤを読み取り、撮影オーダ情報との対応付けを行う。また、撮影終了後、携帯端末１０から撮影オーダ情報に対応付けて技師ＩＤ、カセッテＩＤ、撮影装置ＩＤを制御装置２０に送信する。
一方、医用画像読取装置３０において、医用画像を記録したカセッテ５０から医用画像及びカセッテＩＤを読み取り、医用画像にカセッテＩＤ及び読取装置ＩＤを対応付けて制御装置２０に送信する。そして、制御装置２０において、撮影オーダ情報に対応付けて、技師ＩＤ、カセッテＩＤ、撮影装置ＩＤ、読取装置ＩＤを撮影履歴管理ファイル２６１に記憶させるとともに、カセッテＩＤに基づいて撮影オーダ情報と医用画像とを対応付けて管理する。
【０１１６】
よって、携帯端末１０において、技師が要求する任意の抽出条件に基づいて抽出された撮影オーダ情報と、その撮影で必要なカセッテ枚数及びカセッテサイズを演算して表示するので、抽出条件に合ったカセッテ枚数及びカセッテサイズを技師が参照して、無駄な作業をすることなく容易でかつ確実にカセッテを準備でき、抽出条件に合った撮影オーダ情報を参照して、容易でかつ確実に撮影でき、撮影作業の効率化が実現できる。
【０１１７】
（第２の実施の形態）
図１６及び図１７を参照して、本発明に係る第２の実施の形態を説明する。図１６は、携帯端末１０で実行される第２の撮影前処理を示すフローチャートである。図１７は、制御装置２０で実行される第２の撮影準備処理を示すフローチャートである。
【０１１８】
本実施の形態は、装置構成が第１の実施の形態の医用画像撮影システム１００と同様である。また、医用画像撮影システム１００の動作について、図６（ａ）に示す第１の撮影準備処理とともに、第２の撮影前処理及び第２の撮影準備処理を実行する構成である。このため、第１の実施の形態と異なる部分を主として説明する。
【０１１９】
本実施の形態は、制御装置２０において、送信対象の携帯端末１０の撮影オーダ情報を抽出及び表示して当該携帯端末１０に送信し、当該携帯端末１０において、撮影オーダ情報を受信して表示する構成である。本実施の形態においては、例えば、１台の制御装置２０に対して複数の携帯端末１０が管理されるものとし、この複数の携帯端末１０が、複数の技師それぞれ専用のものとするワークフローとする。
【０１２０】
医用画像撮影システム１００における本実施の形態の動作を説明する。予め、制御装置２０において、第１の実施の形態の図６（ａ）の第１の撮影準備処理が実行され、各携帯端末１０に、当該各携帯端末１０用の撮影オーダ情報が送信される。
【０１２１】
ここで、図１６を参照して、携帯端末１０で実行される第２の撮影前処理を説明する。第２の撮影前処理は、技師などによる携帯端末１０の通信端末１０−１への装着開始をトリガとして、ＣＰＵ１１により記憶装置１６から読み出された第２の撮影前処理プログラムがＲＡＭ１５に展開されて実行される。
【０１２２】
先ず、技師などにより、携帯端末１０が、撮影オーダ情報を取得するため、通信端末１０−１に装着完了される（ステップＳ４１）。通信端末１０−１に装着された携帯端末１０が、制御装置２０からの自装置用の撮影オーダ情報が送信された場合に、当該撮影オーダ情報を通信端末１０−１を介して制御装置２０から受信する。そして、制御装置２０から撮影オーダ情報が受信されたか否かが判別される（ステップＳ４２）。制御装置２０から撮影オーダ情報が受信されない場合（ステップＳ４２；ＮＯ）、ステップＳ４２に移行される。
【０１２３】
制御装置２０から撮影オーダ情報が受信された場合（ステップＳ４２；ＹＥＳ）、制御装置２０から受信された撮影オーダ情報が記憶装置１６の撮影オーダ情報ファイル１６１に記憶され（ステップＳ４３）、第２の撮影前処理が終了される。ステップＳ５３において、受信された撮影オーダ情報が表示部１３に表示される構成としてもよい。
【０１２４】
次に、制御装置２０から携帯端末１０に撮影オーダ情報を抽出及び表示して送信対象の携帯端末１０に送信する第２の撮影準備処理を説明する。第２の撮影準備処理は、技師などによる第２の撮影準備処理実行指示の制御装置２０の入力部２２への入力などをトリガとして、ＣＰＵ２１により記憶装置２６から読み出された第２の撮影準備処理プログラムがＲＡＭ２５に展開されて実行される。
【０１２５】
先ず、図６（ａ）に示す第１の撮影準備処理の実行により、携帯端末１０に送信された撮影オーダ情報が記憶装置２６に記憶されている。そして、図１６に示すように、抽出条件入力画面が表示部２３に表示され、携帯端末１０の使用者である技師などにより抽出条件が入力部２２から入力される（ステップＳ５１）。抽出条件は、図６（ｂ）の第１の撮影前処理のステップＳ１３における抽出条件と同様であるが、さらに、例えば、技師が今から使用しようとする携帯端末１０（撮影オーダ情報の抽出対象の携帯端末１０）を識別する情報が含まれる。これに関連して、抽出条件には、例えば、携帯端末ＩＤを含めてもよく、また、各技師と各携帯端末１０とが対応付けられている場合に、技師ＩＤを含める構成としてもよい。
【０１２６】
そして、ステップＳ５１において入力された抽出条件に基づいて、抽出対象の携帯端末１０の撮影オーダ情報が抽出される（ステップＳ５２）。そして、ステップＳ４２において抽出された撮影オーダ情報（のうちの撮影サイズ及び撮影枚数）から撮影に必要なカセッテサイズとそのカセッテ枚数とが演算される（ステップＳ５３）。そして、ステップＳ５３において演算されたカセッテサイズとそのカセッテ枚数とを付加情報として含む、ステップＳ５２により抽出された撮影オーダ情報（抽出撮影オーダ情報とする）が記憶装置２６の撮影オーダ情報ファイル１６１に記憶され、その抽出撮影オーダ情報が表示部２３に表示される（ステップＳ５４）。そして、技師により入力部２２を介して、抽出撮影オーダ情報の送信指示が入力される（ステップＳ５５）。そして、Ｉ／Ｆ２７の制御により、抽出撮影オーダ情報に対応する携帯端末１０（以下、送信対象の携帯端末１０とする）が通信端末１０−１に装着されているか否かが判別される（ステップＳ５６）。
【０１２７】
ここで、通信端末１０−１に、送信対象の携帯端末１０が装着されていない場合（ステップＳ５６；ＮＯ）、表示部２３にエラー表示がなされ（ステップＳ５８）、第２の撮影準備処理が終了される。一方、通信端末１０−１に、送信対象の携帯端末１０が装着されている場合（ステップＳ５６；ＹＥＳ）、記憶装置２６から、抽出撮影オーダ情報が読み出され、その抽出撮影オーダ情報が通信端末１０−１を介して、送信対象の携帯端末１０に送信され（ステップＳ５７）、第２の撮影準備処理が終了される。
【０１２８】
制御装置２０を操作する技師は、第２の撮影準備処理の実行により表示部２３に表示された、抽出対象の携帯端末１０の撮影オーダ情報に基づいて、容易に撮影に必要なカセッテ５０を用意することができる。
【０１２９】
そして、図１６の第２の撮影前処理と同様にして、抽出対象の携帯端末１０は、通信端末１０−１を介して抽出撮影オーダ情報を受信して記憶装置２６に記憶するとともに、表示部１３に表示する。
【０１３０】
制御装置２０を操作する技師は、表示部２３に表示された撮影オーダ情報に基づいて用意されたカセッテ５０について、携帯端末１０の表示部１３に表示された抽出撮影オーダ情報を参照して再確認することができる。
【０１３１】
以上、本実施の形態によれば、制御装置２０において、技師が要求する各携帯端末１０の抽出条件に基づいて抽出された撮影オーダ情報と、その撮影で必要なカセッテ枚数及びカセッテサイズを演算して表示するので、抽出条件に合ったカセッテ枚数及びカセッテサイズを技師が参照して、無駄な作業をすることなく容易でかつ確実にカセッテを準備できる。
【０１３２】
さらに、カセッテ枚数及びカセッテサイズを含む撮影オーダ情報を各携帯端末１０に表示するので、携帯端末１０ごとに、抽出条件に合ったカセッテ枚数及びカセッテサイズを技師が参照して再確認でき、抽出条件に合った撮影オーダ情報を参照して、容易でかつ確実に撮影でき、さらに撮影作業の効率化が実現できる。
【０１３３】
なお、上記各実施の形態における記述は、本発明に係る好適な医用画像撮影システム及び医用画像管理方法の一例であり、これに限定されるものではない。
【０１３４】
例えば、上述した医用画像撮影システム１００のシステム構成は一例であり、これに限定されるものではない。図１６に示す医用画像撮影システム２００のように、携帯端末１０と、制御装置２０との通信を制御する通信端末１０−１は、制御装置２０に直接接続される構成でなくてもよく、ネットワークＮに接続され、ネットワークＮを介して複数の制御装置２０と任意に通信可能な構成であってもよい。
【０１３５】
医用画像撮影システム２００においては、複数の制御装置２０から、１つの携帯端末１０に撮影オーダ情報を送信することができる。医用画像撮影システム２００に上記第２の実施の形態を適用し、各制御装置２０において、情報管理装置６０から送信される撮影オーダ情報などに基づいて、任意の携帯端末１０に対応する全ての撮影オーダ情報から、抽出条件に合う撮影オーダ情報を抽出する構成としてもよい。
【０１３６】
また、上記第２の実施の形態において、制御装置２０で抽出した撮影オーダ情報（及びカセッテサイズ及びカセッテ枚数）を、制御装置２０から携帯端末１０に送信しない構成としてもよい。
【０１３７】
また、上記各実施の形態において、携帯端末１０でカセッテサイズ及びカセッテ枚数を演算する構成であったが、情報管理装置６０から制御装置２０に送信される撮影オーダ情報にカセッテサイズ及びカセッテ枚数を予め含む構成などでもよい。
【０１３８】
また、撮影オーダ情報（及びカセッテサイズ及びカセッテ枚数）を携帯端末１０及び制御装置２０のいずれか一方に表示する構成でもよい。携帯端末１０及び制御装置２０のどちらで撮影オーダ情報、カセッテサイズ及びカセッテ枚数を演算（抽出）するかや、携帯端末１０及び制御装置２０のいずれか一方又は両方で撮影オーダ情報、カセッテサイズ及びカセッテ枚数を表示するかや、演算（抽出）する単位（撮影患者ごと、携帯端末ごと（それぞれ複数の患者に対応）、技師ごとなど）はポータブル撮影時の技師のワークフローを勘案しながら適宜決定する構成でもよい。
【０１３９】
また、上記各実施の形態では、携帯端末１０に撮影オーダ情報とその付加情報としてカセッテサイズ及びカセッテ枚数を表示する構成であるが、これに限るものではない。例えば、撮影オーダ情報に撮影位置情報が含まれている場合などに、回診（撮影）ルートや、患者のベッド位置などの情報を付加情報として表示する構成でもよい。さらに、携帯端末１０上で、撮影オーダ情報とそのカセッテサイズ及びカセッテ枚数とを表示する第１の表示部と、回診ルートなどを表示する第２の表示部とを設ける構成でもよい。例えば、携帯端末１０の表面に第１の表示部を設け、裏面に第２の表示部を設ける構成でもよい。
【０１４０】
また、上記各実施の形態では、撮影前処理において、撮影オーダ情報の抽出の後にカセッテサイズ及びカセッテ枚数を演算しているが、抽出前の撮影オーダ情報のカセッテサイズ及びカセッテ枚数を先に演算し、抽出条件にカセッテサイズ、カセッテ枚数を選択できる構成としてもよい。
【０１４１】
また、制御装置２０から携帯端末１０に送信される撮影オーダ情報には、撮影済みの撮影オーダ情報に対応付けられたカセッテＩＤの送信先（例えば、ネットワーク上のコンピュータを識別するためのＩＰアドレスなど）を含む構成でもよい。
【０１４２】
また、技師ＩＤ、カセッテＩＤ、撮影装置ＩＤなどは、携帯端末１０のバーコードリーダ１７により取得する構成としたがこれに限らず、技師のＩＤカード、カセッテ５０、ポータブル撮影装置４０に、各識別情報を記録したＩＣチップを備え、ＩＣチップに記録された識別情報を携帯端末１０により取得する構成であってもよい。この場合、携帯端末１０には、ＩＣリーダ（図示せず）を備える構成とする。
【０１４３】
また、撮影履歴管理ファイル２６１に記憶される情報は、上述した例に限定されず、種々の情報を記憶可能である。例えば、撮影履歴管理ファイル２６１に、撮影オーダ情報を記憶する構成であってもよく、その他撮影に関与した事象に関する情報として、携帯端末１０の識別番号、通信端末１０−１の識別番号、画像処理時の画像処理条件、画像処理を行った技師ＩＤなどを撮影オーダ情報に対応付けて記憶する構成であってもよい。また、撮影オーダ情報との対応付けは、撮影ＩＤ、カセッテＩＤ、患者ＩＤなど、種々の情報に基づいて行われる構成であってよい。また、撮影オーダ情報と医用画像との対応関係も同様に種々の情報に基づいてその対応関係が明確であればよい。
【０１４４】
さらに、技師ＩＤ、カセッテＩＤ、撮影装置ＩＤの取得時期は、上述した例に限定されず、撮影オーダ情報との対応関係が明確であれば、任意の時期に取得可能である。例えば、撮影準備処理において、制御装置２０から携帯端末１０に送信される撮影オーダ情報の中に技師ＩＤが含まれる構成であってもよく、この場合、撮影開始処理において、携帯端末１０は技師ＩＤの認証のみを行う構成であってもよい。或いは、カセッテＩＤを撮影終了後に登録する後登録である場合、撮影開始前にカセッテＩＤが取得されない構成であってもよい。
【０１４５】
その他、上記各実施の形態における医用画像撮影システム１００，２００の各構成要素の細部構成、及び細部動作に関しては、本発明の趣旨を逸脱することのない範囲で適宜変更可能であることは勿論である。
【図面の簡単な説明】
【０１４６】
【図１】本発明を適用した実施の形態における医用画像撮影システム１００のシステム構成を示す図である。
【図２】図１に示す携帯端末１０の要部構成を示すブロック図である。
【図３】図２の記憶装置１６に記憶される撮影オーダ情報ファイル１６１のデータ構成を示す図である。
【図４】図１に示す制御装置２０の要部構成を示すブロック図である。
【図５】図４の記憶装置２６に記憶される撮影履歴管理ファイルのデータ構成を示す図である。
【図６】（ａ）制御装置２０により実行される第１の撮影準備処理を示すフローチャートである。（ｂ）携帯端末１０により実行される第１の撮影前処理を示すフローチャートである。
【図７】制御装置２０の表示部２３に表示されるメニュー画面の一例を示す図である。
【図８】制御装置２０の表示部２３に表示されるポータブルリスト受信画面の一例を示す図である。
【図９】（ａ）制御装置２０の表示部２３に表示される患者情報を入力するための入力画面の一例を示す図である。（ｂ）制御装置２０の表示部２３に表示される撮影情報を入力するための入力画面の一例を示す図である。
【図１０】携帯端末１０の表示部１３に表示される抽出条件が入力される抽出条件入力画面の一例を示す図である。
【図１１】携帯端末１０の表示部１３に表示される抽出された撮影オーダ情報の抽出結果表示画面の一例を示す図である。
【図１２】携帯端末１０により実行される撮影開始処理を示すフローチャートである。
【図１３】（ａ）携帯端末１０の表示部１３に表示される患者リスト画面の一例を示す図である。（ｂ）携帯端末１０の表示部１３に表示される表示画面の一例を示す図である。
【図１４】制御装置２０により実行される撮影後処理を示すフローチャートである。
【図１５】制御装置２０の表示部２３に表示されるポータブル処理画面の一例を示す図である。
【図１６】携帯端末１０により実行される第２の撮影前処理を示すフローチャートである。
【図１７】制御装置２０により実行される第２の撮影準備処理を示すフローチャートである。
【図１８】本発明を適用した他の形態における医用画像撮影システム２００のシステム構成を示す図である。
【符号の説明】
【０１４７】
１００，２００    医用画像撮影システム
１０  携帯端末
２０  制御装置
１１，２１    ＣＰＵ
１２    操作部
１３，２３    表示部
１４，２７    Ｉ／Ｆ
１５，２５    ＲＡＭ
１６，２６    記憶装置
１７    バーコードリーダ
１８，２８    バス
２２    入力部
２４    通信制御部
１０−１  通信端末
３０  医用画像読取装置
４０  ポータブル撮影装置
５０  カセッテ
６０  情報管理装置
Ｎ    ネットワーク
【図１】
2004313757.tif 000003
【図２】
2004313757.tif 000004
【図３】
2004313757.tif 000005
【図４】
2004313757.tif 000006
【図５】
2004313757.tif 000007
【図６】
2004313757.tif 000008
【図７】
2004313757.tif 000009
【図８】
2004313757.tif 000010
【図９】
2004313757.tif 000011
【図１０】
2004313757.tif 000012
【図１１】
2004313757.tif 000013
【図１２】
2004313757.tif 000014
【図１３】
2004313757.tif 000015
【図１４】
2004313757.tif 000016
【図１５】
2004313757.tif 000017
【図１６】
2004313757.tif 000018
【図１７】
2004313757.tif 000019
【図１８】
2004313757.tif 000020